(57)【要約】      （修正有）【課題】データ記録部の不都合を発生させる特定の周波数成分を一定量以上含む大音圧の音声が連続的に発生する環境において、記録媒体への書込み動作の低下を回避して、連続したデータの記録を行うことのできる記録装置および映像音声記録装置を提供する。【解決手段】データ記録部７と、データ記録部収納室１１に空間を持つ記録装置において、データ記録部収納室１１の空間を形成する壁面３に、特定の周波数で内部の空気が共振する穴８が１個以上設置されていることを特徴とする構成とした。【選択図】図４
2012123861.tif 000002
【特許請求の範囲】
【請求項１】
データ記録部と、データ記録部収納室に空間を持つ記録装置において、データ記録部収納室の空間を形成する壁面に、1つ以上の貫通穴が設置されていることを特徴とする記録装置。
【請求項２】
データ記録部収納室の空間を形成する壁面に、ヘルムホルツ共鳴の関係を満たすように1つ以上の穴が設置されている請求項１に記載の記録装置。
【請求項３】
データ記録部がハードディスクである請求項２に記載の記録装置。
【請求項４】
映像入力部と、音声入力部と、データ記録部と、データ記録部収納室に空間を持つ映像音声記録装置において、データ記録部収納室の空間を形成する壁面に、1つ以上の貫通穴が設置されていることを特徴とする映像音声記録装置。
【請求項５】
データ記録部収納室の空間を形成する壁面に、ヘルムホルツ共鳴の関係を満たすように1つ以上の穴が設置されている請求項４に記載の映像音声記録装置。
【請求項６】
データ記録部がハードディスクである請求項５に記載の映像音声記録装置。
【発明の詳細な説明】
【技術分野】
【０００１】
本発明はデータ記録装置に関し、特にデジタル信号をハードディスクなどの記録媒体に記録を行う、データ記録装置および映像音声記録装置に関するものである。
【背景技術】
【０００２】
従来、光学系を通して撮像素子に入力された映像情報および、マイク・ユニットによって入力された音声情報をデジタル信号化し、記録媒体に記録する映像音声記録装置が知られている。
【０００３】
図１２、図１３は、従来技術における映像音声記録装置の一例を表す図である。
【０００４】
装置の前面およびその近傍には、映像情報を入力する光学系３０および音声情報を入力するマイク・ユニット３１が配置され、それぞれ映像情報と音声情報を装置内に取り込む。映像情報と音声情報はデジタル信号に変換され、データ記録部３４に記録される。
【０００５】
データ記録部３４は、外装部品３２によって撮影者による接触やゴミなどから保護されている。３３は化粧板である。
【０００６】
近年、前記映像音声記録装置は、装置の小型化とデータの大容量化に伴い、記録媒体を内包するデータ記録部が精密になっている。そのため映像音声記録装置は、衝撃や外部からの振動からの影響を強く受ける性質がある。特にハードディスクや光ディスクなどの記録媒体に記録する映像音声記録装置は、衝撃や振動によってトラッキングが外れ、記録媒体への書込み不能な状態になりやすい。
【０００７】
このような問題に対し、特許文献１や特許文献２のように、データ記録部と記録装置本体との間にダンパを設け、外部から装置部品を経由して伝播する衝撃や振動を吸収する技術が知られている。
【０００８】
図１４は、前記映像音声記録装置の、データ記録部周辺の構成の一例を示す図である。
【０００９】
外装部品３２は、データ記録部収納室３６とともに密閉された空間を形成する。データ記録部３４は衝撃や振動から保護するために弾性部材からなるダンパ３５が取り付けられ、データ記録部収納室３６に収納される。
【００１０】
また特許文献３のように、記録動作の効率化と省電力化を目的とする記録媒体への間欠記録技術を応用し、記録エラー発生時にバッファメモリにデータ信号を蓄積する技術が知られている。
【先行技術文献】
【特許文献】
【００１１】
【特許文献１】特開２００４−１４０３０号公報
【特許文献２】特開２００７−３２８８６６号公報
【特許文献３】特開２００８−７７７８０号公報
【発明の概要】
【発明が解決しようとする課題】
【００１２】
図１５は、従来技術における映像音声記録装置の間欠記録のプロセスを表すブロック線図である。
【００１３】
映像入力部は、レンズ３７と撮像素子３８から成り、映像を入力して電気信号に変換する。マイク３９は音声入力部であり、音声を入力して電気信号に変換する。動画エンコーダ４０は映像入力部から入力された電気信号をデジタル信号化し、撮影者が選択した画質モードに対応する一定の圧縮率でバッファメモリ４２に蓄積する。音声エンコーダ４１は、音声入力部から入力された電気信号をデジタル信号化し、一定の圧縮率でバッファメモリ４２に蓄積する。４４はシステム制御部４３に含まれる記録制御部であり、バッファメモリ４２に一定量以上の圧縮データが蓄積されると、バッファメモリ４２に蓄積された圧縮データをデータ記録部４５に記録する。データ記録部４５に記録された圧縮データは、バッファメモリ４２から削除される。データ記録部４５は、図示しない記録ヘッドやディスク、ディスク駆動部を持つハードディスクである。
【００１４】
図１７は、従来技術における映像音声記録装置の間欠記録動作を説明する図である。
【００１５】
図１７の３つのグラフは、上から順に、(a)バッファメモリに蓄積されたバッファデータ量、(b)単位時間あたりのバッファメモリへの圧縮データ蓄積速度、(c)データ記録部への単位時間あたりの記録量を表しており、横軸は共通の時間を表している。
【００１６】
バッファメモリには、圧縮された映像・音声データが一定の速度で蓄積されている（４７、５０）。
【００１７】
t1においてバッファメモリの蓄積量が一定量を超えると、記録制御部４４はt1からt2の間にかけて、バッファメモリ４２に蓄積された圧縮データを、データ記録部の記録媒体に転送し、記録を行う（４８）。一方、バッファメモリ内のデータ量は減少する（４９）。
【００１８】
振動が加わり、記録媒体への書込み不能な状態が発生する状況として、大音圧の音声が一定時間以上発生する環境がある。
【００１９】
このような環境は、例えば屋内ライブや工事現場などが考えられる。
【００２０】
大音圧の音声の中に特定の周波数成分が一定量以上含まれるとき、装置筐体からデータ記録部との間の流体を経由して、データ記録部に振動となって伝わった音波がデータ記録部内部の記録ヘッドの動作などに強く影響し、ディスクへの書込み動作が低下する場合がある。
【００２１】
装置筐体から記録との間の流体は多くの場合、空気である。
【００２２】
図１６は、特定の周波数成分を一定以上、断続的に含む楽曲の例である。横軸は時間、縦軸は周波数を示す。グラフ上の黒い部分は、その周波数成分が多く含まれることを示している。
【００２３】
特定の周波数はデータ記録部４５の構成に依存し、例えば楽曲の全体にわたって断続的に発生している１１００Ｈｚの周波数成分（４６）が、あるデータ記録部４５内部の記録ヘッドの動作に影響し、ディスクへの書込み動作が低下することがわかっている。
【００２４】
特許文献１、特許文献２における従来技術は、外部から装置部品を経由して伝播する衝撃・振動に対して有効であるが、前記問題のような流体を経由して伝播する音波による振動に対応しておらず、対策が必要である。
【００２５】
特許文献３における従来技術について、バッファメモリは一定の容量以上のデータを蓄積することができない。そのため、映像音声記録装置に連続した衝撃や長時間の振動がかかるときなど、記録媒体への継続的な書込み動作の低下が続く場合、バッファメモリのオーバーフローが生じ、正常な記録ができないという問題が生じる。
【００２６】
図１８は、従来技術における映像音声記録装置の、データ記録部に不都合を発生させる特定の周波数成分が一定量以上含まれる騒音環境下にある場合の、間欠記録動作を説明する図である。図２０の４つのグラフは、上から順に(d)バッファメモリに蓄積されたバッファデータ量、(e)単位時間あたりのバッファメモリへの圧縮データ蓄積速度、(f)データ記録部への単位時間あたりの記録量、(g)騒音の前記周波数成分の大きさを表しており、横軸は共通の時間を表している。
【００２７】
一定量でバッファメモリに圧縮された映像・音声データが蓄積される中で、t3において、前記周波数成分を一定量(n1)以上含む騒音が発生する。すると前記周波数成分がデータ記録部４５内部の記録ヘッド部動作に影響して、データ記録部への記録ができなくなり、バッファメモリの蓄積量が一定量を越えても、データ記録部への映像・音声データの転送ができなくなる（５１）。バッファメモリへの圧縮データの蓄積は続いており、ついには蓄積量が、バッファメモリの最大容量に達してしまう（５２）。
【００２８】
蓄積量がバッファメモリの最大容量に達すると、動画エンコーダと音声エンコーダから新しく入力される圧縮されたデータを蓄積できない状態となり（５３）、入力される圧縮データは破棄されたり、記録動作を停止したりする。
【００２９】
t5において、前記騒音が消滅すると、データ記録部に記録することができるようになるが、t4からt5の間の動画・音声データは消滅しており、データ記録部に記録されない。
【００３０】
本発明の目的は、データ記録部の不都合を発生させる特定の周波数成分を一定量以上含む大音圧の音声が連続的に発生する環境において、記録媒体への書込み動作の低下を回避して、連続したデータの記録を行うことのできる記録装置および映像音声記録装置を提供することにある。
【課題を解決するための手段】
【００３１】
上記目的を達成するために、本発明の請求項１に係る発明によれば、データ記録部と、データ記録部収納室に空間を持つ記録装置において、データ記録部収納室の空間を形成する壁面に、1つ以上の貫通穴が設置されていることを特徴とする。
【００３２】
また、請求項２に係る発明によれば、請求項１において、データ記録部収納室の空間を形成する壁面に、ヘルムホルツ共鳴の関係を満たすように1つ以上の穴が設置されていることを特徴とする。
【００３３】
また、請求項３に係る発明によれば、請求項２において、データ記録部がハードディスクであることを特徴とする。
【００３４】
また、請求項４に係る発明によれば、映像入力部と、音声入力部と、データ記録部と、データ記録部収納室に空間を持つ映像音声記録装置において、データ記録部収納室の空間を形成する壁面に、1つ以上の貫通穴が設置されていることを特徴とする。
【００３５】
また、請求項５に係る発明によれば、請求項４において、データ記録部収納室の空間を形成する壁面に、ヘルムホルツ共鳴の関係を満たすように1つ以上の穴が設置されていることを特徴とする。
【００３６】
また、請求項６に係る発明によれば、請求項５において、データ記録部がハードディスクであることを特徴とする。
【発明の効果】
【００３７】
本発明によれば、データ記録部の不都合を発生させる特定の周波数成分を一定量以上含む大音圧の音声が連続的に発生する環境において、記録媒体への書込み動作の低下を回避して、連続したデータの記録を行うことのできる記録装置および映像音声記録装置を提供することができる。
【００３８】
図１９は、従来の映像音声記録装置と本発明を施した映像音声記録装置の挙動を比較し、本発明の効果を示す図である。
【００３９】
単調波が一定の音圧で発生している環境において、映像音声記録装置の一定時間の撮影動作を行い、正常な記録ができるかどうかを調べている。単調波は250Hzから1400Hzまで50Hzごとに増加させ、音圧は95dBから110dBまで5dBごとに増加させ、それぞれに組み合わせについて、映像音声記録装置の動作を調べたものである。
【００４０】
従来の映像音声記録装置では、1150Hzから1200Hzの周波数帯域において、撮影動作不都合がみられるが（５５）、本発明を施した映像音声記録装置では、この不都合が消滅していることがわかる（５６）。
【図面の簡単な説明】
【００４１】
【図１】本発明の第１の実施例に係る映像音声記録装置の外観を表す図
【図２】映像音声記録装置のデータ記録部収納室を表す図
【図３】映像音声記録装置から化粧板のみを取り外した状態を示す図
【図４】データ記録部収納室内部を表す図
【図５】本発明の第２の実施例に係る映像音声記録装置の外観を表す図
【図６】映像音声記録装置から化粧板のみを取り外した状態を示す図
【図７】映像音声記録装置のデータ記録部収納室を表す図
【図８】データ記録部収納室内部を表す図
【図９】質量を２つのバネで挟んだ両端固定のバネ・マス系を表す図
【図１０】本発明の第３の実施例に係る映像音声記録装置の外観を表す図
【図１１】データ記録部収納室内部および映像音声記録装置内部空間を表す図
【図１２】従来の映像音声記録装置の外観をあらわす図
【図１３】従来の映像音声記録装置のデータ記録部収納室を表す図
【図１４】従来の映像音声記録装置のデータ記録部収納室内部を表す図
【図１５】従来の映像音声記録装置の基本構成を表すブロック線図
【図１６】データ記録部の共振周波数成分を一定量以上、断続的に含む楽曲の例
【図１７】従来の映像音声記録装置の通常環境で間欠記録動作を示す図
【図１８】従来の映像音声記録装置の、データ記録部に不都合を発生させる周波数成分を一定量以上含む音波によって、データ記録部に記録できなくなった場合の記録動作を表す図
【図１９】従来の映像音声記録装置と本発明の映像音声記録装置の挙動を比較し、本発明の効果を示す図
【発明を実施するための形態】
【００４２】
以下に、本発明の好ましい実施の形態を、添付の図面に基づいて詳細に説明する。
【００４３】
［実施例１］
図１は、本発明による映像音声記録装置の外観を表す図である。
【００４４】
１は映像情報を入力する光学系、２は音声情報を入力するマイク・ユニットである。３は内部部品を撮影者による接触やゴミなどから保護する外観部品のひとつである。外観部品３の凹部には化粧板４が配置されている。外装部品３の凹部と化粧板４との間には、微小な間隙５を有する。
【００４５】
図２は、映像音声記録装置のデータ記録部収納室を表す図である。外観部品３を取り外すと、データ記録部収納室が露出する。データ記録部収納室には、衝撃や振動から保護するための弾性部材からなるダンパ６が取り付けられたデータ記録部７が収納されている。
データ記録部７は、図示しない記録ヘッドやディスク、ディスク駆動部を持つハードディスクである。
【００４６】
図３は、映像音声記録装置から化粧板４のみを取り外した状態を示す図である。
【００４７】
化粧板４と外観部品３は、化粧板４の凸部９と外観部品３の凹部１０にて互いに固定され、微小な隙間５を形成する。外観部品３には、１つ以上の貫通穴８が設けられ、データ記録部収納室と外部とを空間的に繋がっている。
【００４８】
図４は、データ記録部収納室内部を表す図である。
【００４９】
データ記録部収納室１１には、前記ダンパ６が取り付けられたデータ記録部７が収納されている。外観部品３とデータ記録部収納室１１によって形成される空間は、１つ以上の貫通穴８および、外観部品３と化粧板４との間の間隙５によって、外部と繋がっている。
【００５０】
また、貫通穴８は以下の式を満たすように設置される。
f = (c/2π)×√(S×Vi/L) 
ただし、ΣVi = V
V…外観部品３とデータ記録部収納室１１によって形成される空間からデータ記録部７を除いた容積
c…空気中の音の速さ
S…貫通穴８の断面積
L…貫通穴８の長さ、あるいは外観部品３の厚さ
f…データ記録部に不都合を発生させる特定の周波数
これはヘルムホルツ共鳴と呼ばれる吸音現象を発生させる条件を表わす。
【００５１】
外観部品３とデータ記録部収納室１１によって形成される空間を満たす空気がバネの弾性により、貫通穴８内部の空気を質量とする片端固定のバネ・マス系を形成する。ヘルムホルツ共鳴が発生すると、このバネ・マス系が特定の周波数fで共鳴して激しく振動し、貫通穴８の内壁などとの摩擦損失によって音の減衰が起こり、吸音作用を得られる。
【００５２】
すなわち、前記映像音声記録装置がデータ記録部に不都合を発生させる特定の周波数を一定以上含む騒音環境下にある場合でも、前記周波数は貫通穴８で吸収され、データ記録部収納室１１に達しない。したがって、前記映像音声記録装置がデータ記録部に不都合を発生させる特定の周波数を一定以上含む騒音環境下にある場合でも、前記映像音声記録装置は撮影・記録を継続することができる。
【００５３】
さらに1つ以上の貫通穴８の断面積Sないし貫通穴８の長さLをそれぞれ独立に所定の大きさにすることで、複数の周波数fに対応可能である。
【００５４】
また、貫通穴８は化粧板４によって隠され、外部から見えることはない。
【００５５】
［実施例２］
次に、本発明の第２の実施形態を説明する。
【００５６】
図５は、第２の実施形態の外観を表す図である。
【００５７】
１２は映像情報を入力する光学系、１３は音声情報を入力するマイク・ユニットである。１４は内部部品を撮影者による接触やゴミなどから保護する外観部品のひとつである。外観部品１４の凹部には化粧板１５が配置されている。
【００５８】
図６は、映像音声記録装置から化粧板１５のみを取り外した状態を示す図である。外観部品１４には凹部が設けられている。前記凹部の底面部１６には１つ以上の貫通穴１７が設けられている。
【００５９】
図７は、映像音声記録装置のデータ記録部収納室を表す図である。外観部品１４および化粧板１５を取り外すと、データ記録部収納室が露出する。データ記録部収納室には、衝撃や振動から保護するための弾性部材からなるダンパ１８が取り付けられたデータ記録部１９が収納されている。データ記録部１９は、図示しない記録ヘッドやディスク、ディスク駆動部を持つハードディスクである。
【００６０】
図８は、データ記録部収納室内部を表す図である。
【００６１】
データ記録部収納室２０には、前記ダンパ１８が取り付けられたデータ記録部１９が収納されている。化粧板１５とデータ記録部収納室２０によって形成される密閉空間は、外観部品１４に設けられた凹部の底面部１６によって分割され、それによって形成される二空間は、１つ以上の貫通穴１７を通じて空間的に繋がっている。
【００６２】
また、貫通穴１７は以下の式を満たすように設置される。
ｆ = (c/2π)×√{(V1i+V2j)×S/(V1i×V2j×L)}
ただし、ΣV1i = V1
ΣV2j = V2
V1…化粧板１５とデータ記録部収納室２０によって形成される密閉空間を底面部１６によって分割して得られる２つの空間のうち、データ記録部が収納される空間のデータ記録部１９を除いた容積
V2…化粧板１５とデータ記録部収納室２０によって形成される密閉空間を底面部１６によって分割して得られる２つの空間のうち、データ記録部が収納されない空間の容積
c…空気中の音の速さ
S…貫通穴１７の断面積
L…貫通穴１７の長さ、あるいは底面部１６の厚さ
f…データ記録部に不都合を発生させる特定の周波数
これは前記ヘルムホルツ共鳴を応用した吸音現象を発生させる条件を表す。
【００６３】
化粧板１５とデータ記録部収納室２０によって形成される密閉空間を底面部１６によって分割して得られる２つの空間を満たす空気の弾性により、貫通穴１７内部の空気を質量とする、図９のような質量を２つのバネで挟んだ両端固定のバネ・マス系を形成する。
【００６４】
ヘルムホルツ共鳴が発生すると、このバネ・マス系が特定の周波数ｆで共鳴して激しく振動し、貫通穴１７の内壁などとの摩擦損失によって音の減衰が起こり、吸音作用を得られる。
【００６５】
すなわち、前記映像音声記録装置がデータ記録部に不都合を発生させる特定の周波数を一定以上含む騒音環境下にある場合でも、前記周波数は貫通穴１７で吸収され、データ記録部収納室２０に達しない。したがって、前記映像音声記録装置がデータ記録部に不都合を発生させる特定の周波数を一定以上含む騒音環境下にある場合でも、前記映像音声記録装置は撮影・記録を継続することができる。
【００６６】
さらに1つ以上の貫通穴１７の断面積Sないし貫通穴８の長さLをそれぞれ独立に所定の大きさにすることで、複数の周波数fに対応可能である。
【００６７】
［実施例３］
次に、本発明の第３の実施形態を説明する。
【００６８】
図１０は、第３の実施形態の外観を表す図である。
【００６９】
２１は映像情報を入力する光学系、２２は音声情報を入力するマイク・ユニットである。２３は内部部品を撮影者による接触やゴミなどから保護する外観部品のひとつである。外観部品２３の凹部には化粧板２４が配置されている。
【００７０】
外観部品２３と化粧板２４を取り外すと、データ記録部収納室２７が露出する。データ記録部収納室２７には、衝撃や振動から保護するための弾性部材からなるダンパ２６が取り付けられたデータ記録部２５が収納されている。データ記録部２５は、図示しない記録ヘッドやディスク、ディスク駆動部を持つハードディスクである。
【００７１】
ダンパ２６とデータ記録部２５を取り外すと、データ記録部収納室２７の側壁が露出する。データ記録部収納室２７の側壁には１つ以上の貫通穴２８が設けられている。
【００７２】
図１１は、データ記録部収納室内部および映像音声記録装置内部空間を表す図である。
【００７３】
映像音声記録装置内部空間２９は、外観部品２３と映像音声記録装置の他の外観部品によって形成される密閉空間を指し、映像入力部や音声入力部、電気部品などを内包する。
【００７４】
データ記録部収納室２７には、前記ダンパ２６が取り付けられたデータ記録部２５が収納されている。外観部品２３とデータ記録部収納室２７によって形成される空間は、貫通穴２８を通じて、映像音声記録装置内部空間２９と空間的に繋がっている。
【００７５】
また、貫通穴２８は以下の式を満たすように設置される。
ｆ = (c/2π)×√{(V1i+V2j)×S/(V1i×V2j×L)}
ただし、ΣV1i = V1
ΣV2j = V2
V1…外観部品２３とデータ記録部収納室２７によって形成される空間からデータ記録部２５を除いた容積
V2…映像音声記録装置内部空間２９から映像入力部や音声入力部、電気部品などを除いた容積
c…空気中の音の速さ
S…貫通穴２８の断面積
L…貫通穴２８の長さ、あるいはデータ記録部収納室２７の厚さ
f…データ記録部に不都合を発生させる特定の周波数
これは前記ヘルムホルツ共鳴を応用した吸音現象を発生させる条件を表す。
【００７６】
外観部品２３とデータ記録部収納室２７によって形成される空間と映像音声記録装置内部空間２９を満たす空気の弾性により、貫通穴２８内部の空気を質量とする、図９のような質量を２つのバネで挟んだ両端固定のバネ・マス系を形成する。
【００７７】
ヘルムホルツ共鳴が発生すると、このバネ・マス系が特定の周波数ｆで共鳴して激しく振動し、貫通穴２８の内壁などとの摩擦損失によって音の減衰が起こり、吸音作用を得られる。
【００７８】
すなわち、前記映像音声記録装置がデータ記録部に不都合を発生させる特定の周波数を一定以上含む騒音環境下にある場合でも、前記周波数は貫通穴２８で吸収され、データ記録部収納室２７に達しない。したがって、前記映像音声記録装置がデータ記録部に不都合を発生させる特定の周波数を一定以上含む騒音環境下にある場合でも、前記映像音声記録装置は撮影・記録を継続することができる。
【００７９】
さらに1つ以上の貫通穴２８の断面積Sないし貫通穴８の長さLをそれぞれ独立に所定の大きさにすることで、複数の周波数fに対応可能である。
【００８０】
以上、本発明の好ましい実施形態について説明したが、本発明はこれらの実施形態に限定されず、その要旨の範囲内で種々の変形及び変更が可能である。
【符号の説明】
【００８１】
1…映像情報を入力する光学系
2…音声情報を入力するマイク・ユニット
3…内部部品を撮影者による接触やゴミなどから保護する外観部品のひとつ
4…化粧板
5…外装部品３の凹部と化粧板４との間に形成される微小な間隙
6…ダンパ
7…データ記録部
8…１つ以上の貫通穴
9…化粧板４の凸部
10…外観部品３の凹部
11…データ記録部収納室
12…映像情報を入力する光学系
13…音声情報を入力するマイク・ユニット
14…内部部品を撮影者による接触やゴミなどから保護する外観部品のひとつ
15…化粧板
16…外観部品１４に設けられた凹部の底面部
17…１つ以上の貫通穴
18…ダンパ
19…データ記録部
20…データ記録部収納室
21…映像情報を入力する光学系
22…音声情報を入力するマイク・ユニット
23…内部部品を撮影者による接触やゴミなどから保護する外観部品のひとつ
24…化粧板
25…データ記録部
26…ダンパ
27…データ記録部収納室
28…１以上の貫通穴
29…映像音声記録装置内部空間
30…映像情報を入力する光学系
31…音声情報を入力するマイク・ユニット３１
32…内部部品を撮影者による接触やゴミなどから保護する外観部品のひとつ
33…化粧板
34…データ記録部
35…ダンパ
36…データ記録部収納室
37…映像入力装置(レンズ)
38…映像入力装置(撮像素子)
39…音声入力装置(マイク)
40…動画エンコーダ
41…音声エンコーダ
42…バッファメモリ
43…システム制御部
44…記録制御部
45…データ記録部
46…楽曲中の、データ記録部に不都合を発生させる周波数成分
【図１】
2012123861.tif 000003
【図２】
2012123861.tif 000004
【図３】
2012123861.tif 000005
【図４】
2012123861.tif 000006
【図５】
2012123861.tif 000007
【図６】
2012123861.tif 000008
【図７】
2012123861.tif 000009
【図８】
2012123861.tif 000010
【図９】
2012123861.tif 000011
【図１０】
2012123861.tif 000012
【図１１】
2012123861.tif 000013
【図１２】
2012123861.tif 000014
【図１３】
2012123861.tif 000015
【図１４】
2012123861.tif 000016
【図１５】
2012123861.tif 000017
【図１６】
2012123861.tif 000018
【図１７】
2012123861.tif 000019
【図１８】
2012123861.tif 000020
【図１９】
2012123861.tif 000021